(57)【要約】【課題】組立作業を容易に行うこと。【解決手段】互いに間隔をもって配置される２つの縦枠１１，１２の間にルーフ板１４を架設することによって構成される建具用フレーム１０であって、縦枠１１，１２の互いに対向する部位に係合片１６ｃを突設するとともに、ルーフ板１４の両端部に設けた内端面１４ｇを有した切欠１４ｅを設け、切欠１４ｅの内端面１４ｇを係合片１６ｃに係合することによって縦枠１１，１２に対する見込み方向に沿った位置を規定するようにしている。【選択図】図４−２
2020007718.tif 000002
【特許請求の範囲】
【請求項１】
互いに間隔をもって配置される２つの基準フレーム材の間に架設フレーム材を架設することによって構成される建具用フレームであって、
前記架設フレーム材と前記基準フレーム材との間には、互いに係合することによって前記基準フレーム材に対する前記架設フレーム材の見込み方向に沿った位置決めを行う見込み位置決め手段が設けられていることを特徴とする建具用フレーム。
【請求項２】
前記見込み位置決め手段は、前記基準フレーム材の互いに対向する部位に突設した係合片と、前記架設フレーム材に設けた係合部とを備え、前記係合部を前記係合片に係合することによって前記基準フレーム材に対する見込み方向に沿った位置を規定することを特徴とする請求項１に記載の建具用フレーム。
【請求項３】
前記架設フレーム材には、前記係合片に係合することによって前記基準フレーム材に対する前記架設フレーム材の延在方向に沿った位置決めを行う第２係合部が設けられていることを特徴とする請求項２に記載の建具用フレーム。
【請求項４】
前記第２係合部は、前記係合部の両側に設けられていることを特徴とする請求項３に記載の建具用フレーム。
【請求項５】
前記基準フレーム材の互いに対向する部位にはブラケットが取り付けられており、
前記ブラケットに前記係合片が設けられていることを特徴とする請求項２に記載の建具用フレーム。
【請求項６】
前記基準フレーム材の互いに対向する内周側の面には、前記架設フレーム材の端面との間にシール材が設けられており、
前記第２係合部は、前記基準フレーム材に対して前記架設フレーム材の近接する方向の移動を制限することによって位置決めを行うものであり、
前記架設フレーム材は、前記基準フレーム材を介して端面に取付ネジを螺合することによって前記基準フレーム材に取り付けられることを特徴とする請求項３に記載の建具用フレーム。
【発明の詳細な説明】
【技術分野】
【０００１】
本発明は、互いに間隔をもって配置される２つの基準フレーム材の間に架設フレーム材を架設することによって構成される建具用フレームに関するものである。
【背景技術】
【０００２】
建具の枠体や障子等の建具用フレームは、例えば縦枠や縦框等の縦フレーム材の間に横枠や横框等の横フレーム材を架設することによって矩形状に構成されている。この種の建具用フレームを組み立てる場合には、２つの縦フレーム材を互いに間隔をもって平行に配置した上で、互いの間に順次横フレーム材を架設するようにしている。この場合、縦フレーム材を立てた姿勢で横フレーム材を架設するよりも、作業台の上面に縦フレーム材を水平に配置した状態で横フレーム材を架設する方が作業が容易である。
【０００３】
ここで、例えば枠体を構成する縦枠及び横枠については、室内側に位置する縁部の位置がほぼ同一の平面上に位置している。このため、室内側に位置する縁部が作業台に当接する状態で縦枠を配置し、その後、横枠の室内側に位置する縁部を作業台に当接させれば、互いの見込み方向に沿った位置が規定される。従って、この状態のまま縦枠を介して横枠の小口端面に取付ネジを螺合することで枠体を容易に構成することが可能となる。
【０００４】
しかしながら、枠体を構成する横枠には、縦枠に取り付けられた状態で室内側に位置する縁部の位置が異なるものがある。例えば、特許文献１に記載されたシャッター装置を備える枠体では、縦枠が上方の横枠を超えて上方に延在し、縦枠の上端部間に架設したルーフ板と上方の横枠との間にシャッター装置を収容するためのシャッターボックスを構成するものがある。この建具においても、建物の開口部に配置される上下の横枠は、室内側に位置する縁部がほぼ同一の平面上に位置している。しかしながら、建物の開口部よりも上方に配置されるルーフ板は、室内側に位置する縁部が外壁材に当接した状態となるため、上下の横枠よりも室外側に位置することになる。このため、作業台に縦枠を水平に配置した状態でルーフ板を取り付けるには、ルーフ板を作業台の上面よりも浮かせた状態に維持したまま取付ネジの螺合作業を行わなければならず、作業性を考慮した場合、必ずしも好ましいとはいえない。なお、上述の問題は、２つの基準フレーム材の間に架設フレーム材を架設するものであれば、枠体以外のものにも生じ得る。
【先行技術文献】
【特許文献】
【０００５】
【特許文献１】特開２０１７−８９１８０号公報
【発明の概要】
【発明が解決しようとする課題】
【０００６】
本発明は、上記実情に鑑みて、組立作業を容易に行うことのできる建具用フレームを提供することを目的とする。
【課題を解決するための手段】
【０００７】
上記目的を達成するため、本発明に係る建具用フレームは、互いに間隔をもって配置される２つの基準フレーム材の間に架設フレーム材を架設することによって構成される建具用フレームであって、前記架設フレーム材と前記基準フレーム材との間には、互いに係合することによって前記基準フレーム材に対する前記架設フレーム材の見込み方向に沿った位置決めを行う見込み位置決め手段が設けられていることを特徴とする。
【発明の効果】
【０００８】
本発明によれば、基準フレーム材と架設フレーム材との間に見込み位置決め手段が設けられているため、２つの基準フレーム材を水平に配置した状態で互いの間に架設フレーム材を配置すれば、見込み位置決め手段によって基準フレーム材に対する架設フレーム材の見込み方向に沿った位置が規定されることになる。従って、仮に基準フレーム材の縁部と架設フレーム材の縁部とを見込み方向において互いに異なる位置で組み立てる場合にも架設フレーム材を支持しておく必要がなく、組立作業を容易に行うことが可能となる。
【図面の簡単な説明】
【０００９】
【図１】本発明の実施の形態である建具用フレームを備えた建具の例を示す縦断面図である。
【図２】図１に示した建具に適用する建具用フレームを示すもので、（ａ）は縦断面図、（ｂ）は一方の基準フレーム材を上方から見た横断面図、（ｃ）はもう一方の基準フレーム材を上方から見た横断面図である。
【図３】図１に示した建具に適用する建具用フレームの分解斜視図である。
【図４−１】図１に示した建具に適用する建具用フレームの要部を示す分解斜視図である。
【図４−２】図１に示した建具に適用する建具用フレームの要部を一部拡大して示す斜視図である。
【発明を実施するための形態】
【００１０】
以下、添付図面を参照しながら本発明に係る建具用フレームの好適な実施の形態について詳細に説明する。
図１は、本発明の実施の形態である建具用フレームを備えた建具を示したものである。ここで例示する建具は、建具用フレーム１０を介して建物の開口部Ｗに取り付けられるものである。建具用フレーム１０は、図２及び図３に示すように、左右の縦枠（基準フレーム材）１１，１２、下枠（架設フレーム材）１３、ルーフ板（架設フレーム材）１４及び上枠（架設フレーム材）１５を備えて建具用フレーム１０を備えて構成してある。左右の縦枠１１，１２は、互いに間隔をもってほぼ平行に配置されたものである。下枠１３は、左右の縦枠１１，１２の下端部間に架設したものであり、ルーフ板１４は、左右の縦枠１１，１２の上端部間に架設したものである。縦枠１１，１２の互いに対向する見込み面１１ａ，１２ａにおいてルーフ板１４の端部に対向する部位には、面状のシール材２０が配設してある。シール材２０は、縦枠１１，１２とルーフ板１４との間の水密性を確保するためのもで、縦枠１１，１２の見込み面１１ａ，１２ａ及びルーフ板１４の端面に密接している。上枠１５は、左右の縦枠１１，１２の相互間において下枠１３及びルーフ板１４の間に架設したものである。下枠１３、ルーフ板１４及び上枠１５は、縦枠１１，１２に設けたネジ挿通孔１１ｂ，１２ｂを介して個々の端部のビスホール１３ｄ，１４ｈ．１５ｄに取付ネジ２１を螺合することにより縦枠１１，１２に取り付けてある。
【００１１】
ここで、見込み面とは、見込み方向に沿った面のことである。見込み方向とは、図中の矢印Ａで示すように、建具の奥行きに沿った方向である。また、この実施の形態では見付け方向という用語も用いる。見付け方向は、下枠１３や上枠１５等のように水平方向に沿って延在するものの場合、見込み方向に直交した上下に沿う方向である。縦枠１１，１２等のように上下方向に沿って延在するものの場合には、見込み方向に直交した水平に沿う方向を見付け方向という。見付け方向に沿った面については、見付け面と称する場合がある。
【００１２】
図１〜図３に示すように、下枠１３及び上枠１５は、縦枠１１，１２の相互間に障子３１を配設するための枠体３０を構成するものである。本実施の形態では、２枚の障子３１を左右方向にスライド可能に支持する引き違い窓用の枠体３０が、左右の縦枠１１，１２、下枠１３及び上枠１５の間に構成してある。ルーフ板１４は、縦枠１１，１２の相互間において上枠１５との間にシャッター装置４１を収容するためのシャッターボックス４０を構成するものである。シャッター装置４１は、図には明示していないが、シャッターケース４２の内部に巻取ローラ４３が回転可能に配設されたものである。巻取ローラ４３は、枠体３０の開口に対してスラット４４の巻き取り及び繰り出しを行うものである。巻取ローラ４３から繰り出されたスラット４４は、縦枠１１，１２に設けられた図示せぬガイドに沿って下方に案内され、枠体３０の開口を閉塞することが可能となる。このシャッター装置４１は、シャッターケース４２の両端部がそれぞれブラケット１６を介して縦枠１１，１２に支持してある。ブラケット１６は、図３〜図４−２に示すように、矩形状を成す基板部１６ａと、基板部１６ａの上下両縁部から互いに同一の方向に向けてほぼ直角に屈曲した支持板部１６ｂとを一体に成形した金属製のものである。このブラケット１６は、支持板部１６ｂがほぼ水平で、縦枠１１，１２から内方に突出する状態で基板部１６ａを介して縦枠１１，１２の上端部に取り付けてある。支持板部１６ｂには、室外側に位置する端部に係合片１６ｃが設けてある。係合片１６ｃは、支持板部１６ｂから互いに離反する方向に向けて屈曲したものである。それぞれの係合片１６ｃの室外に臨む前面１６ｆには、シャッターケース４２をネジ止めするためのネジ孔１６ｄが開口している。
【００１３】
図１に示すように、枠体３０は、建物に設けられた矩形状の開口部Ｗに対して室内側に位置する内方部分３０Ａが嵌め込まれ、かつ室外側に位置する外方部分３０Ｂが室外に突出した、いわゆる半外付けの状態で躯体Ｂに固定されるものである。より具体的に説明すると、下枠１３及び上枠１５は、それぞれ見付け方向に沿った釘ヒレ部１３ａ，１５ａを有するとともに、釘ヒレ部１３ａ，１５ａよりも室内側に向けて突出した室内側部分１３ｂ，１５ｂを有している。これら下枠１３及び上枠１５は、釘ヒレ部１３ａ，１５ａを介して外壁材Ｓの室外に臨む外表面に取り付けられるとともに、室内側部分１３ｂ，１５ｂを介して開口部Ｗに取り付けられることになる。
【００１４】
一方、シャッターボックス４０は、建物の開口部Ｗよりも上方に位置する部位にシャッター装置４１を収容するものである。このため、ルーフ板１４の固定対象は、外壁材Ｓの外表面のみとなる。つまり、ルーフ板１４は、もっとも室内側に位置する縁部に見付け方向に沿った釘ヒレ部１４ａを有し、釘ヒレ部１４ａを介して外壁材Ｓに取り付けられている。
【００１５】
このように、室内側に位置する縁部の位置が互いに異なる下枠１３からルーフ板１４までの間に配置される一連の縦枠１１，１２は、図２に示すように、上枠１５が取り付けられる部分を境として上下で見込み方向の寸法が互いに異なっている。すなわち、縦枠１１，１２は、上枠１５から下枠１３までの枠体３０に対応する枠部分１１Ａ，１２Ａの見込み方向の寸法が、上枠１５からルーフ板１４までのシャッターボックス４０に対応するボックス部分１１Ｂ，１２Ｂよりも大きく構成してある。見込み方向の寸法が大きい枠部分１１Ａ，１２Ａは、室内側に位置する部分がのみ突出した形状となっており、室外側に位置する部分についてはボックス部分１１Ｂ，１２Ｂと同一の平面上に位置している。
【００１６】
縦枠１１，１２の間に架設する下枠１３及び上枠１５は、ルーフ板１４よりも見込み方向に沿った寸法が大きく構成してあり、室内側に位置する縁部１３ｃ，１５ｃがそれぞれ、枠部分１１Ａ，１２Ａの室内側に位置する縁部１１ｃ，１２ｃと同一の平面上となる状態で縦枠１１，１２に固定してある。本実施の形態では、枠部分１１Ａ，１２Ａの見込み方向に沿った寸法に対して、上枠１５がわずかに短く、下枠１３がわずかに大きく構成してある。ルーフ板１４は、ボックス部分１１Ｂ，１２Ｂの見込み方向に沿った寸法に対してわずかに大きく構成してあり、室内側に位置する縁部１４ｃがボックス部分１１Ｂ，１２Ｂの室内側に位置する縁部１１ｄ，１２ｄと同一の平面上となる状態で縦枠１１，１２に固定してある。
【００１７】
上述の建具用フレーム１０を組み立てる場合には、縦枠１１，１２の室内側に位置する縁部１１ｃ，１１ｄ，１２ｃ，１２ｄが下側となる姿勢で作業台の上面Ｌに左右の縦枠１１，１２を略水平に配置するとともに、これら縦枠１１，１２の枠部分１１Ａ，１２Ａの間に下枠１３及び上枠１５を立て掛けて行うようにしている。この状態においては、左右の縦枠１１，１２が枠部分１１Ａ，１２Ａの室内側に位置する縁部１１ｃ，１２ｃを介して作業台の上面Ｌに当接し、かつ下枠１３及び上枠１５が室内側に位置する縁部１３ｃ，１５ｃを介して作業台の上面Ｌに当接することになる。つまり、作業台の上面Ｌを介して左右の縦枠１１，１２、下枠１３及び上枠１５が見込み方向に位置決めされることになる。従って、この状態から縦枠１１，１２のネジ挿通孔１１ｂ，１２ｂを介して下枠１３及び上枠１５にそれぞれ取付ネジ２１を螺合すれば、枠体３０を容易に構成することが可能となる。
【００１８】
一方、ルーフ板１４については、上述したように、室内側に位置する縁部１４ｃが下枠１３や上枠１５よりも室外側に位置するものである。このため、作業台を利用した組み立て方法によっても、作業台の上面Ｌから浮かせた状態を維持しながら取付ネジ２１を螺合しなければならず、ルーフ板１４の取付作業を容易化することは難しい。
【００１９】
そこで、この実施の形態の建具用フレーム１０では、左右の縦枠１１，１２の互いに対向する見込み面１１ａ，１２ａに係合片１６ｃを設けるとともに、ルーフ板１４に係合ヒレ部１４ｄを形成し、係合片１６ｃを係合ヒレ部１４ｄに係合させることによって縦枠１１，１２に対するルーフ板１４の取付作業を容易化するようにしている。
【００２０】
係合片１６ｃとしては、ブラケット１６に設けた２つの係合片１６ｃのうち、上方に位置するものをそのまま適用するようにしている。すなわち、係合片１６ｃは、縦枠１１，１２から互いに対向する見込み面１１ａ，１２ａに向けて突出した板状を成すもので、支持板部１６ｂの室外側に位置する端部から上方に向けてほぼ直角に屈曲している。
【００２１】
ルーフ板１４の係合ヒレ部１４ｄは、ルーフ板１４の下面において室外側に位置する縁部から下方に向けて突出した後、室内側に向けてほぼ直角に屈曲したものである。この係合ヒレ部１４ｄには、両端部付近において係合片１６ｃに対応する部位に切欠１４ｅが設けてある。切欠１４ｅは、係合片１６ｃを嵌合することのできる幅を有した矩形状を成すもので、係合ヒレ部１４ｄの室内側に向いた先端縁に開口している。それぞれの切欠１４ｅは、枠体３０に対してルーフ板１４を位置決め配置した場合に、両内側面（第２係合部）１４ｆが係合片１６ｃの両側縁部１６ｅに対向し、かつ内端面（係合部）１４ｇが係合片１６ｃの前面１６ｆに当接する位置となるように形成してある。
【００２２】
上述の建具用フレーム１０においては、室内側に位置する縁部１１ｃ，１１ｄ，１２ｃ，１２ｄが下側となる姿勢で左右の縦枠１１，１２を作業台の上面Ｌに配置すると、それぞれの係合片１６ｃの前面１６ｆが上方に向けてほぼ水平となる。従って、この状態からそれぞれの係合片１６ｃに対して係合ヒレ部１４ｄの切欠１４ｅを嵌合させれば、ルーフ板１４が作業台の上面Ｌから離隔した状態でルーフ板１４を縦枠１１，１２の間に配置することが可能となる。すなわち、ルーフ板１４は、切欠１４ｅの内端面１４ｇを介して係合片１６ｃの前面１６ｆに当接し、縦枠１１，１２に対して見込み方向に沿った位置が規定されるため、室内側に位置する縁部１４ｃが作業台の上面Ｌから離隔し、かつボックス部分１１Ｂ，１２Ｂの室内側に位置する縁部１１ｄ，１２ｄと同一の平面上に位置した状態に維持される。
【００２３】
また、縦枠１１，１２の係合片１６ｃに対して切欠１４ｅの両内側面１４ｆが係合するため、縦枠１１，１２に対してルーフ板１４の延在方向に沿った位置も規定され、ルーフ板１４の端面がシール材２０を介して縦枠１１，１２の見込み面１１ａ，１２ａに当接し、かつ縦枠１１，１２のネジ挿通孔１１ｂ，１２ｂとルーフ板１４のビスホール１４ｈとが互いに合致した状態となる。この状態においては、縦枠１１，１２が互いに離隔する方向への倒れ及び互いに近接する方向への倒れが阻止されている。このため、縦枠１１，１２は、互いにほぼ平行となった状態を維持し、作業台の上面Ｌに倒れることなく安定した状態で配置されることになる。従って、縦枠１１，１２やルーフ板１４から手を離した状態においてもネジ挿通孔１１ｂ，１２ｂを介してルーフ板１４のビスホール１４ｈに取付ネジ２１を螺合することができ、組立作業を容易に行うことが可能となる。
【００２４】
この場合、切欠１４ｅを介して係合片１６ｃに嵌合したルーフ板１４は、切欠１４ｅの内側面１４ｆが係合片１６ｃに当接することで縦枠１１，１２に対して近接する方向の移動が制限された状態にある。従って、仮に取付ネジ２１の螺合操作が過多になったとしても縦枠１１，１２の見込み面１１ａ，１２ａとルーフ板１４の端面との間には所定の隙間が確保されるため、シール材２０が潰れる事態が生じることはなく、縦枠１１，１２とルーフ板１４との間から水が浸入するおそれがない。
【００２５】
なお、上述した実施の形態では、枠体の上部にシャッターボックスを有した建具用フレームを例示しているが、必ずしもこれに限定されず、２つの基準フレーム材の間に架設フレーム材を架設するものであれば、その他のものにも適用することが可能である。この場合、必ずしも基準フレーム材が上下に沿っている必要はない。また、複数の架設フレーム材を架設する場合に互いに室内側に位置する縁部の位置が異なるものを例示しているが、室内側に位置する縁部が同一の平面上に位置する架設フレーム材のみを架設するものであっても良い。
【００２６】
また、上述した実施の形態では、基準フレーム材である縦枠に係合片を設ける一方、架設フレーム材であるルーフ板に内端面１４ｇを設けることによって見込み位置決め手段を構成しているが、見込み方向の位置を規定する構成であればその他の組み合せからなる見込み位置決め手段を設けても良い。例えば、基準フレーム材に内端面を設ける一方、架設フレーム材に係合片を設けるようにしても良い。なお、基準フレーム材に係合片を設ける場合に上述した実施の形態では、基準フレーム材に取り付けられるブラケットに係合片を設けるようにしているため、基準フレーム材の製造作業が煩雑化するおそれがないが、直接基準フレーム材に係合片を設けても良い。
【００２７】
さらに、上述した実施の形態では、係合片の両側に第２係合部を設けるようにしているが、少なくとも一方に設ければ十分である。
【００２８】
本発明に係る建具用フレームは、互いに間隔をもって配置される２つの基準フレーム材の間に架設フレーム材を架設することによって構成される建具用フレームであって、前記架設フレーム材と前記基準フレーム材との間には、互いに係合することによって前記基準フレーム材に対する前記架設フレーム材の見込み方向に沿った位置決めを行う見込み位置決め手段が設けられていることを特徴とする。
【００２９】
この発明によれば、基準フレーム材と架設フレーム材との間に見込み位置決め手段が設けられているため、２つの基準フレーム材を水平に配置した状態で互いの間に架設フレーム材を配置すれば、見込み位置決め手段によって基準フレーム材に対する架設フレーム材の見込み方向に沿った位置が規定されることになる。従って、仮に基準フレーム材の縁部と架設フレーム材の縁部とを見込み方向において互いに異なる位置で組み立てる場合にも架設フレーム材を支持しておく必要がなく、組立作業を容易に行うことが可能となる。
【００３０】
また本発明は、上述した建具用フレームにおいて、前記見込み位置決め手段は、前記基準フレーム材の互いに対向する部位に突設した係合片と、前記架設フレーム材に設けた係合部とを備え、前記係合部を前記係合片に係合することによって前記基準フレーム材に対する見込み方向に沿った位置を規定することを特徴とする。
【００３１】
この発明によれば、架設フレーム材の両端部に設けた係合部がそれぞれ係合片に係合することで基準フレーム材に対して架設フレーム材の見込み方向に沿った位置が規定されることになる。
【００３２】
また本発明は、上述した建具用フレームにおいて、前記架設フレーム材には、前記係合片に係合することによって前記基準フレーム材に対する前記架設フレーム材の延在方向に沿った位置決めを行う第２係合部が設けられていることを特徴とする。
【００３３】
この発明によれば、架設フレーム材を係合片に係合させれば、基準フレーム材に対して架設フレーム材の延在方向に沿った位置も規定することができる。
【００３４】
また本発明は、上述した建具用フレームにおいて、前記第２係合部は、前記係合部の両側に設けられていることを特徴とする。
【００３５】
この発明によれば、一方の係合片に対してのみ第２係合部を設ければ、架設フレーム材の延在方向に沿った両方向の位置決めを行うことができる。
【００３６】
また本発明は、上述した建具用フレームにおいて、前記基準フレーム材の互いに対向する部位にはブラケットが取り付けられており、前記ブラケットに前記係合片が設けられていることを特徴とする。
【００３７】
この発明によれば、基準フレーム材に直接見込み位置決め手段を設ける必要がなく、基準フレーム材の製造作業が煩雑化するおそれがない。
【００３８】
また本発明は、上述した建具用フレームにおいて、前記基準フレーム材の互いに対向する内周側の面には、前記架設フレーム材の端面との間にシール材が設けられており、前記第２係合部は、前記基準フレーム材に対して前記架設フレーム材の近接する方向の移動を制限することによって位置決めを行うものであり、前記架設フレーム材は、前記基準フレーム材を介して端面に取付ネジを螺合することによって前記基準フレーム材に取り付けられることを特徴とする。
【００３９】
この発明によれば、仮に取付ネジを過度に螺合させたとしても基準フレーム材に対して架設フレーム材が接近できる位置が第２係合部によって制限されるため、シール材が破断するような事態を招来することがなく、所望のシール性を確保することができる。
【符号の説明】
【００４０】
１０  建具用フレーム、１１，１２  縦枠、１３  下枠、１４  ルーフ板、１４ｄ  係合ヒレ部、１４ｅ  切欠、１４ｆ  内側面、１４ｇ  内端面、１４ｈ  ビスホール、１５  上枠、１６  ブラケット、１６ｃ  係合片、１６ｆ  前面、２０  シール材、２１  取付ネジ
【図１】
2020007718.tif 000003
【図２】
2020007718.tif 000004
【図３】
2020007718.tif 000005
【図４−１】
2020007718.tif 000006
【図４−２】
2020007718.tif 000007